(57)【要約】【課題】  ニュース番組等の放送情報を効率的に蓄積し、ユーザの要求に応じて効率的な再生視聴を可能にする放送システムとその受信装置とを提供することを目的とする。【解決手段】  映像を受信し再生させるコンピュータを、ある記事についてのシーンを得る手段と、該シーンに現れるエンティティの情報を得る手段と、該エンティティの該情報をシーン蓄積リストに登録する手段と、該記事の該シーンがシーン蓄積リストに既に存在するか否かを判定する手段と、該シーンのシーン長を得る手段と、該記事ごとに該シーン長を累積する手段と、累積された該シーン長に基づき並び替えを行う手段と、並び替えられた該記事名を提示するよう受信装置に指示を送信する手段として機能させるためのプログラム。【選択図】  図１
2005176223.tif 000002
【特許請求の範囲】
【請求項１】
映像を受信し再生させるコンピュータを、
放送の送出主体よりある記事についてのシーンを得る手段と、
該シーンに現れるエンティティの情報を得る手段と、
該エンティティの該情報をシーン蓄積リストに登録する手段と
該記事の該シーンがシーン蓄積リストに既に存在するか否かを判定する手段と、
該シーンのシーン長を得る手段と
該記事ごとに該シーン長を累積する手段と
累積された該シーン長に基づき、並び替えを行う手段と
並び替えられた該記事名を提示するよう受信装置に指示を送信する手段として機能させるためのプログラム。
【請求項２】
特定の放送の送出主体によるシーンを優先して提示するよう指示を受信する手段として機能する請求項1に記載のプログラム。
【請求項３】
放送の送出主体ごとの視聴履歴を保持する手段と
該視聴履歴に基づいて特定の放送の送出主体によるシーンを優先して提示する手段として機能する請求項1に記載のプログラム。
【請求項４】
該記事の該シーンのうち、放送の送出主体の間で差異のある部分を提示するよう受信装置に指示を送信する手段として機能する請求項１または請求項２または請求項３に記載のプログラム。
【請求項５】
映像を受信し再生させるコンピュータを、
放送の送出主体よりある記事についてのシーンを得る手段と、
該シーンに現れるエンティティの情報を得る手段と、
該エンティティの該情報をシーン蓄積リストに登録する手段と
該記事の該シーンがシーン蓄積リストに既に存在するか否かを判定する手段と、
該シーンのシーン長を得る手段と
該記事ごとに該シーン長を累積する手段と
累積された該シーン長に基づき、並び替えを行う手段と
並び替えられた該記事名を提示するよう受信装置に指示を送信する手段として機能させるためのプログラムを記録したコンピュータ可読である記憶媒体。
【請求項６】
特定の放送の送出主体によるシーンを優先して提示するよう指示を受信する手段として機能させるためのプログラムを記録した請求項5に記載のコンピュータ可読である記憶媒体。
【請求項７】
放送の送出主体ごとの視聴履歴を保持する手段と
該視聴履歴に基づいて特定の放送の送出主体によるシーンを優先して提示する手段として機能させるためのプログラムを記録した請求項5に記載のコンピュータ可読である記憶媒体。
【請求項８】
該記事の該シーンのうち、放送の送出主体の間で差異のある部分を提示するよう受信装置に指示を送信する手段として機能させるためのプログラムを記録した請求項５または請求項６または請求項７に記載のコンピュータ可読である記憶媒体。
【請求項９】
放送の送出主体よりある記事についてのシーンを得る手段と、
該シーンに現れるエンティティの情報を得る手段と、
該エンティティの該情報をシーン蓄積リストに登録する手段と
該記事の該シーンがシーン蓄積リストに既に存在するか否かを判定する手段と、
該シーンのシーン長を得る手段と
該記事ごとに該シーン長を累積する手段と
累積された該シーン長に基づき、並び替えを行う手段と
並び替えられた該記事名を提示するよう受信装置に指示を送信する手段と
を備えることを特徴とした映像受信再生装置。
【請求項１０】
特定の放送の送出主体によるシーンを優先して提示するよう指示を受信する手段とを備えることを特徴とした請求項9に記載の映像受信再生装置。
【請求項１１】
放送の送出主体ごとの視聴履歴を保持する手段と
該視聴履歴に基づいて特定の放送の送出主体によるシーンを優先して提示する手段とを備えることを特徴とした請求項9に記載の映像受信再生装置。
【請求項１２】
該記事の該シーンのうち、放送の送出主体の間で差異のある部分を提示するよう受信装置に指示を送信する手段とを備えることを特徴とした請求項９または請求項１０または請求項１１に記載の映像受信再生装置。
【請求項１３】
放送の送出主体よりある記事についてのシーンを得るステップと、
該シーンに現れるエンティティの情報を得るステップと、
該エンティティの該情報をシーン蓄積リストに登録するステップと
該記事の該シーンがシーン蓄積リストに既に存在するか否かを判定するステップと、
該シーンのシーン長を得るステップと
該記事ごとに該シーン長を累積するステップと
累積された該シーン長に基づき、並び替えを行うステップと
並び替えられた該記事名を提示するよう受信装置に指示を送信するステップと
を備えることを特徴とした映像受信再生方法。
【請求項１４】
特定の放送の送出主体によるシーンを優先して提示するよう指示を受信するステップとを備えることを特徴とした請求項13に記載の映像受信再生方法。
【請求項１５】
放送の送出主体ごとの視聴履歴を保持するステップと
該視聴履歴に基づいて特定の放送の送出主体によるシーンを優先して提示するステップと
を備えることを特徴とした請求項13に記載の映像受信再生方法。
【請求項１６】
該記事の該シーンのうち、放送の送出主体の間で差異のある部分を提示するよう受信装置に指示を送信するステップとを備えることを特徴とした請求項13または請求項１４または請求項１５に記載の映像受信再生方法。
【発明の詳細な説明】
【技術分野】
【０００１】
本発明は、映像を受信し再生する装置において、ニュースなどの情報を効率的に蓄積し、視聴者の求めに応じて効率的に再生することができるようにするものである。
【背景技術】
【０００２】
デジタル放送では、映像・音声データと云った番組の本体と多重化して、EPG（Electric Program Guide：電子番組表）の情報を構成する番組編成情報や、番組に含まれるシーンをシーンの時間的位置により指定することで定義するインデックス情報などを送ることが可能であり、こうしたデジタル放送の特性を利用して、様々なサービスが考えられている。
【０００３】
例えば、NHKが提案しているISDB（Integrated Service Digital Broadcasting）における「いつでもニュース」機能によれば、ニュース番組を一旦録画して再生する場合に、ユーザが好みの具体的ニュースを選択して視聴できるようにする方式が開発されている。この方式では、ニュース番組に含まれる具体的ニュース（この明細書では、それぞれの具体的ニュースを「記事」と呼ぶことにする。）に対応するシーンがどのような時間帯に放送されるのかを示すインデックス情報がニュース番組の映像・音声データに多重化して放送され、受信側は、このインデックス情報をニュース番組の映像・音声データと合わせて蓄積する。このインデックス情報は、Ｃのデジタル放送で規格化が検討されている番組インデックス符号化方式で記述可能である。再生時には、インデックス情報に基づいて記事の一覧を画面に表示し、そこからユーザが選択した記事が再生される。
【０００４】
また、特開2000-287138「放送システムと、その情報参照方法及び受信装置」においては、ニュース番組等の情報を効率的に再生し視聴を可能にする放送システムを提供する件に関する。送信装置から送信されたシーンを、受信装置で蓄積した後再生する放送システムにおいて、送信装置が、放送するシーンの管理情報としてこのシーンの更新属性を送信する。受信装置では、蓄積したシーンの中から、更新属性が差し替えのシーンに対して差し替え用のシーンを受信したときにシーンの差し替えを行い、蓄積しているシーンの中の関連情報を識別して、ユーザの求めに応じて提示するようにしている。
【０００５】
そして、特開2000-115165「送信装置および送信方法、受信装置および受信方法、並びに送受信装置および送受信方法」においては、放送局において、コンテンツDBに登録されたコンテンツが更新されると、その更新を行うためのデータが放送ネットワークを介して送信される。一方、受信端末では、該コンテンツの更新が行われる方式を提案している。
【発明の開示】
【発明が解決しようとする課題】
【０００６】
しかし、この方式では、ある特定の時刻に放送されたニュース番組１つに対して１つのインデックス情報が存在するだけであり、ニュース番組を跨がって複数記事の関係を扱うことができなかった。すなわち、蓄積した１回のニュース番組の中から記事を選択して再生することができるだけであって、ニュース番組を複数回に渡って蓄積した場合には、再生視聴を効率的に行うことができない。
【０００７】
例えばある殺人事件に関してのニュースの場合、ある放送局では犯人の動機の部分、別の放送局では事件の背景の部分について詳細に語られていたとすると、事件の全体像を捉えるには2つの放送局のニュースを視聴する必要がある。また逆に、事件の内容だけをピンポイントに捉えたい場合、詳細な部分は必要なく、効率的な視聴の妨げとなる。
【０００８】
また、視聴者にはテレビやラジオ、コンピュータなどメディアの情報を的確に判断する力が求められている。映像の送り手としてはいかに視聴者に番組の意図を読み解いてもらうか、さらには批判を含めて多様な「読み方」をしてもらうかという事が必要になる。つまり視聴者は情報を批判的に読み解き、多様なメディアを駆使して自らも情報発信を行う「メディアリテラシー」能力を育成し、持つことが不可欠となる。各放送局等では編集などによって、送信される映像中に主観的な切り口が入っている。視聴者には、これら主観の違いを読み解くことが求められている。
【０００９】
本発明は、こうした従来の問題点を解決するものであり、ニュース番組等の放送情報を効率的に蓄積し、ユーザの要求に応じて効率的な再生視聴を可能にする放送システムとその受信装置とを提供すること、およびメディアリテラシー能力を育成するツールとして利用することを目的としている。
【課題を解決するための手段】
【００１０】
以上の課題を解決するため、本発明におけるプログラムは映像を受信し再生させるコンピュータを、ある記事についてのシーンを得る手段と、該シーンに現れるエンティティの情報を得る手段と、該エンティティの該情報をシーン蓄積リストに登録する手段と該記事の該シーンがシーン蓄積リストに既に存在するか否かを判定する手段と、該シーンのシーン長を得る手段と外記事ごとに該シーン長を累積する手段と累積された該シーン長に基づき、並び替えを行う手段と並び替えられた該記事名を提示するよう受信装置に指示を送信する手段と特定の放送の送出主体による映像を優先して提示するよう指示を受信する手段と放送の送出主体ごとの視聴履歴を保持する手段と該視聴履歴に基づいて特定の放送の送出主体による映像を優先して提示する手段と該記事の該シーンのうち、放送の送出主体の間で差異のある部分を提示するよう受信装置に指示を送信する手段として機能させるためのプログラムである。
【００１１】
また、本発明におけるコンピュータ可読である記憶媒体は、映像を受信し再生させるコンピュータを、ある記事についてのシーンを得る手段と、該シーンに現れるエンティティの情報を得る手段と、該エンティティの該情報をシーン蓄積リストに登録する手段と該記事の該シーンがシーン蓄積リストに既に存在するか否かを判定する手段と、該シーンのシーン長を得る手段と外記事ごとに該シーン長を累積する手段と累積された該シーン長に基づき、並び替えを行う手段と並び替えられた該記事名を提示するよう受信装置に指示を送信する手段と特定の放送の送出主体による映像を優先して提示するよう指示を受信する手段と放送の送出主体ごとの視聴履歴を保持する手段と該視聴履歴に基づいて特定の放送の送出主体による映像を優先して提示する手段と該記事の該シーンのうち、放送の送出主体の間で差異のある部分を提示するよう受信装置に指示を送信する手段として機能させるためのプログラムを記録したコンピュータ可読である記憶媒体である。
【００１２】
また、本発明における映像受信再生装置は、ある記事についてのシーンを得る手段と、該シーンに現れるエンティティの情報を得る手段と、該エンティティの該情報をシーン蓄積リストに登録する手段と該記事の該シーンがシーン蓄積リストに既に存在するか否かを判定する手段と、該シーンのシーン長を得る手段と
外記事ごとに該シーン長を累積する手段と累積された該シーン長に基づき、並び替えを行う手段と並び替えられた該記事名を提示するよう受信装置に指示を送信する手段と特定の放送の送出主体による映像を優先して提示するよう指示を受信する手段と放送の送出主体ごとの視聴履歴を保持する手段と該視聴履歴に基づいて特定の放送の送出主体による映像を優先して提示する手段と該記事の該シーンのうち、放送の送出主体の間で差異のある部分を提示するよう受信装置に指示を送信する手段とを備えること。
【００１３】
また、本発明における映像受信再生方法は、ある記事についてのシーンを得るステップと、該シーンに現れるエンティティの情報を得るステップと、該エンティティの該情報をシーン蓄積リストに登録するステップと該記事の該シーンがシーン蓄積リストに既に存在するか否かを判定するステップと、該シーンのシーン長を得るステップと外記事ごとに該シーン長を累積するステップと累積された該シーン長に基づき、並び替えを行うステップと並び替えられた該記事名を提示するよう受信装置に指示を送信するステップと特定の放送の送出主体による映像を優先して提示するよう指示を受信するステップと放送の送出主体ごとの視聴履歴を保持するステップと該視聴履歴に基づいて特定の放送の送出主体による映像を優先して提示するステップと該記事の該シーンのうち、放送の送出主体の間で差異のある部分を提示するよう受信装置に指示を送信するステップとを備える。
【発明の効果】
【００１４】
以上述べたように、本発明における映像受信再生装置には、ニュース番組等の放送情報を効率的に蓄積し、ユーザの要求に応じて効率的な再生視聴を可能にする、および請求４または請求項８または請求項１２または請求項１６における映像受信再生装置にはメディアリテラシー能力を育成するツールとして利用することが可能であるという効果がある。
【発明を実施するための最良の形態】
【００１５】
以下、図面を参照して本発明の好適な実施形態を詳細に説明する。
【００１６】
（第１の実施形態）
第１の実施形態の映像受信再生装置は、以下のような放送システムの環境において動作するものとする。すなわち、図１に示すように、1ないし複数の放送の送出装置100,110…と、地上波放送や衛星放送あるいはCATV、インターネットなどの伝送手段300と、放送を受信し再生する映像受信再生装置200である。送出装置100,110…は、番組の映像・音声データを生成・送出する映像送出手段11と、番組インデックスを生成・送出する番組インデックス送出手段12と、各手段から出力されたデータを多重化する多重器13と、多重器13から出力された信号を変調する変調器14とを備えている。
【００１７】
また、映像受信再生装置200は、放送波等の受信信号を受信する受信手段21と、多重化している受信信号から映像・音声データ、番組インデックスを分離する分離手段22と、映像・音声データをデコードする再生手段23と、スピーカやCRTから成る提示手段24と、番組インデックスを取得する付加情報取得手段25と、映像・音声データや付加情報を蓄積する蓄積手段26と、各部を制御するCPU27と、CPU27の作業領域に使用されるメモリ28と、キーボードやマウス等の入力手段29を備えている。
【００１８】
この放送システムでは、送出装置100,110…の映像送出手段11が番組の映像音声データを多重器14に出力し、また、番組インデックス送出手段12は、番組インデックスとして、後述する記事管理情報（図2）とシーン定義情報（図3）とエンティティ定義情報（図4）とを作成して多重器13に出力する。以下では説明のため表形式にしているが、実際にはXML形式で番組インデックスが送信される。
【００１９】
記事管理情報（図2）は、記事IDと、記事名、記事に属するシーンのシーンID列とが記述される。例えば図2における例では、記事ID2300の記事は「野中氏と鈴木氏が会談」という記事名であり、該記事のシーンはシーンID250〜254のシーンであることを記述している。各シーン間ではシーン同士のオーバーラップはないものとする。なお記事IDは本実施例では簡単のために各放送局間で同じ記事に対しては同一であるとされているものとするが、記事名を元に同一性の判定を行うことも可能である。記事名の同一性の判定手法については、例えば、特開2000-287138「放送システムと、その情報参照方法及び受信装置」にある手法を利用するが,本発明ではその手法については特に限定するものではない。
【００２０】
シーン定義情報（図3）では、シーンIDと、後述するエンティティ定義情報中のエンティティID、該シーン中での意味的な場所名、該シーン中での意味的な時刻とが記述される。例えば図3における例では、シーンID250のシーンにはエンティティ31と32とが出現し、該シーンは国会議事堂で2001年2月20日13時55分に撮影されたものであることを記述している。
【００２１】
エンティティ定義情報（図4）はあるシーンに出現するエンティティの名前、そのエンティティが行っているイベント名とが記述される。例えば図4における例では、エンティティID31は野中氏が会談していることを記述している。
【００２２】
こうして番組インデックス送出手段12で作成された番組インデックスは、映像送出手段11から出力され映像・音声データとともに多重器13で多重化され、変調器14で変調され、伝送手段30によって受信装置へ向けて送信される。
【００２３】
一方、受信装置20では、受信手段21が放送波等の受信信号を受信し、分離手段22が、多重化されている受信信号を映像・音声データ、および番組インデックスに分離する。分離された映像・音声データは蓄積手段26に蓄積される。また、リアルタイム視聴が行われるときは、分離された映像・音声データが再生手段23にも入力し、デコードされた映像・音声データが提示手段24から表示される。また、分離されたXML形式の番組インデックスは付加情報取得手段25で取得され、後蓄積手段26に格納される。
【００２４】
CPU27は、付加情報取得手段25が取得したXML形式の番組インデックスからXMLを解釈し、蓄積手段26に蓄積する記事のシーン蓄積情報（図5）およびシーン蓄積リスト（図6）を作成し、蓄積手段26に格納する。
【００２５】
シーン蓄積情報（図5）は、蓄積手段26に蓄積されているシーンが属する記事の記事IDと、該シーンのシーンIDとファイル名とシーン長が記述される。例えば図5における例では、記事ID2300中のシーンID250のシーンは蓄積手段26中のファイル名File250.mpgとして保管されていて、シーン長は1分25秒であることを記述している。
【００２６】
シーン蓄積リスト（図6）は、蓄積手段26に蓄積されているシーンと、該シーン中に登場するエンティティとの対応関係が記述される。And/Or行は、該当の列の該名前と該イベント名と該場所名の組が複数の記事に現れた場合はAnd、そうでない場合はOrとする。図6の例では、野中氏が会談しているというエンティティは記事ID2300のシーンID250に出現し、しかもAnd/Or行がAndなので他の記事IDを持つ記事にも野中氏が会談しているシーンが存在していることを示す。一方鈴木氏が車に乗るというエンティティは、記事ID2300のシーンID251のシーンにのみ登場し、And/Or行がOrなので、他の記事には存在しないことを示す。なおエンティティレベルでシーンの一致度を判定するために、後述するように記事IDと名前とイベント名と場所名との組が一致すれば、該当のシーン同士は一致していると判定する。
【００２７】
累積シーン長情報（図7）は、同一記事IDに関して蓄積装置26中に蓄積されているシーンのシーン長が記述される。図7に示した例では、記事ID2300の記事は1分00秒蓄積されていることを示す。
【００２８】
シーンの移り変わりの検出には、例えば、谷口行信，外村佳伸，浜田洋「映像ショット切換え検出法とその映像アクセスインターフェイスへの応用」信学論D-II,Vol.J79-D-II, No.4などにある手法を利用するが、本発明ではその手法について限定するものではない。
【００２９】
図8は、各放送局より送信されたある１つの記事について、同一記事での共通シーン部分および差異のあるシーン部分を抽出する手続きを示したフローチャートである。以下このフローチャートに基づいて本装置における同一記事での共通シーン部分および差異のあるシーン部分を抽出する動作を説明する。
【００３０】
まずステップ101では、該記事についてそのIDを元に、記事管理情報を検索し全てのシーンIDを得て、メモリ28に格納する。図2に挙げた例では、記事ID2300の記事に対して、シーンIDとして、250,251,252,253,254を得る。
【００３１】
ステップ102では、メモリ28中からシーンIDを1つ取り出し、該シーンIDを元にシーン定義情報を検索し、全てのエンティティIDと場所とを得て、メモリ28に格納する。図3に挙げた例では、例えばシーンID250に対して、エンティティID31,32と場所名「国会議事堂」を得る。
【００３２】
ステップ103では、メモリ28中からエンティティIDを1つ取り出し、該エンティティIDを元にエンティティ定義情報を検索し、名前とイベント名を得る。図4に挙げた例では、例えばエンティティID31に対して、名前「野中」イベント名「会談」を得る。
【００３３】
ステップ104では、該記事IDと該場所と該名前と該イベント名を図6に示したシーン蓄積リストに登録されているものと比較する。もし存在すればステップ105へ移る。存在しなければステップ106へ移る。以上に挙げた例では、記事ID2300と場所名「国会議事堂」と名前「野中」とイベント名「会談」の３つをキーとして、シーン蓄積リストより検索する。
【００３４】
ステップ105では、シーン蓄積リスト中の該当列のAnd/OrにAndと登録し、ステップ107へ移る。以上に挙げた例では、記事ID2300と場所名「国会議事堂内」と名前「野中」とイベント名「会談」の３つをキーとする列が存在するので、And/Or行はAndとする。
【００３５】
ステップ106では、テーブルに新規な列として、該名前と該イベント名と該場所と該シーンIDと該記事IDを登録しAnd/OrにOrと登録する。
【００３６】
ステップ107では、まだステップ103による操作が行われていないエンティティIDが存在するか否か判定する。もしあればステップ103へ戻る。
【００３７】
ステップ108では、まだステップ102による操作が行われていないシーンIDが存在するか否かを判定する。もしあればステップ102へ戻る。
【００３８】
図9は、先に述べた、各放送局より送信されたある１つの記事について、同一記事での共通シーン部分および差異のあるシーン部分を抽出する手続きによって得られたシーン群について、共通部分の長さによって順位付けを行って視聴者に提示する手続きを示したフローチャートである。以下このフローチャートに基づいて、順位付けを行って視聴者に提示する動作について説明する。
【００３９】
ステップ201では、図5に示したシーン蓄積情報より記事IDを全て取り出す。
【００４０】
ステップ202では、前記ステップ201で取り出した記事IDを1つ取り出し、これを元に、図6に示したシーン蓄積リストを検索し、And/OrがAndであるようなシーンIDを全て取り出す。例えば記事ID2300に対して、図6に示した例では記事IDが2300であるシーンIDとして250が取り出される。
【００４１】
ステップ203では、前記ステップ202で取り出したシーンIDのうち1つを取り出し、図5に示したシーン蓄積情報を検索し、シーン長を得る。図6に示した例ではシーンID250に対してシーン長は1分25秒である。
【００４２】
ステップ204では、前記ステップ203で取り出した該シーンIDに対するシーン長を、図7で示した累積シーン長情報中の該シーンIDの累積シーン長に加える。図7に示した例では記事ID2300の累積シーン長は1分00秒であったのが、シーンID250のシーン長である1分25秒を加えて、図7-1のように2分25秒となる。
【００４３】
ステップ205では、ステップ203で取り出したシーンIDのうち、まだステップ204による操作を加えられていないシーンIDが存在するか否かを判定する。まだ存在すればステップ204に戻る。存在しなければステップ206に移る。
【００４４】
ステップ206では、ステップ201で取り出した記事IDのうち、まだステップ202による操作を加えられていないシーンIDが存在するか否かを判定する。まだ存在すればステップ202に戻る。存在しなければステップ207に移る。
【００４５】
ステップ207では、ステップ204で得られた累積シーン長に基づき、降順に並び替えを行う。
【００４６】
ステップ208では、前記ステップ207で並び替えた結果に基づき、累積シーン長の長いものから順に記事IDを元に図2で示した記事管理情報を検索し、得られた記事名を提示手段24に提示する。図7-1の例であれば、記事ID2300の「野中氏と鈴木氏が会談」、続いて記事ID2301の「土井氏が講演」が図9-1のように提示装置24に提示される。
【００４７】
（第2の実施形態）
第2の実施形態は、利用者の好みによって特定の放送局を優先する場合の例である。第1の実施形態と異なる点を中心に説明する。
【００４８】
まず、記事管理情報に放送局に関する情報が加わる。記事管理情報（図10）は、記事IDと、記事名、記事に属するシーンのシーンID列と放送局名が記述される。例えば図10における例では、記事ID2300の記事は「野中氏と鈴木氏が会談」という記事名であり、該記事のシーンはシーンID250〜254のシーンであり、テレビＡによる放送であることを記述している。なお記事IDに関する放送局間での同一性に関する事項は第1の実施形態と同じである。
次にシーン蓄積情報にも放送局に関する情報が加わる。シーン蓄積情報（図11）は、蓄積手段26に蓄積されているシーンと、該シーンが放送された放送局名、該シーン中に登場するエンティティとの対応関係が記述される。And/Or行は、該当の列の該名前と該動作の組が複数の記事に現れた場合はAnd、そうでない場合はOrとする。図11の例では、野中氏が会談しているというエンティティは記事ID2300のシーンID250に出現し、しかもAnd/Or行がAndなので他の記事IDを持つ記事にも野中氏が話しているシーンが存在していて、「テレビＡ」という最も嗜好順位の高い放送局によるシーンが選択されていることを示す。一方鈴木氏が車に乗るというエンティティは、記事ID2300のシーンID251のシーンにのみ登場し、And/Or行がOrなので、他の記事には存在しないことを示す。
【００４９】
放送局嗜好情報（図12）は、放送局の好みを本装置の利用者が登録するものであり、利用社名と放送局名と嗜好度から成る。図12における例では、嗜好度はプラス100からマイナス100の値としプラス100が最も好まれマイナス100は最も好まれていないとし、利用者FukadaはテレビＡを最も嗜好し次にテレビＢを嗜好していることを記述している。
【００５０】
図13は、利用者が放送局嗜好情報を登録する手続きを示したフローチャートである。以下このフローチャートに基づいて本装置における利用者が放送局嗜好登録情報を登録する動作を説明する。
【００５１】
ステップ301では、利用者が入力手段29より入力したユーザIDを受信する。図13-1は本ステップにおける提示手段24の画面例である。本装置はユーザIDとパスワードの入力を要求する。
【００５２】
ステップ302では、前記ステップで入力されたユーザIDとパスワードをチェックし、認証を行う。もし認証に成功すればステップ303へ移る。認証に失敗すればステップ301へ戻り、再度の入力を利用者に促す。
【００５３】
ステップ303では、提示手段24に放送局名が表示される。図13-2は本ステップにおける提示手段24の画面例である。この例では放送局名としてNHK、Ｃテレビ、Ｂ放送、Ｄテレビ、テレビＡ、テレビＢを表示している。
【００５４】
ステップ304では、入力手段29より利用者が各放送局名に対して嗜好度を入力する。図13-3は本ステップにおける提示手段24の画面例である。この例ではNHK、Ｄテレビ、テレビＡ、テレビＢ、Ｃテレビ、Ｂ放送、の順の嗜好度であることを示している。
【００５５】
ステップ305では、入力手段29より利用者による終了ボタンの押下を受信する。
【００５６】
ステップ306では、全ての放送局に対してステップ304で嗜好順位が入力されているか否かを判定する。もし欠落がなければステップ307に移る。欠落が存在すればステップ304に戻り、再度の入力を利用者に促す。
【００５７】
ステップ307では、前記ステップ304で利用者によって入力された放送局嗜好情報を図12で示した放送局嗜好情報の形式で登録し、蓄積手段26に格納する。
【００５８】
図14は、各放送局より送信されたある１つの記事について、同一記事での共通シーン部分を抽出する手続きを示したフローチャートである。以下このフローチャートに基づいて本装置における同一記事での共通シーン部分を抽出するにおける動作を説明する。
【００５９】
まずステップ401では、該記事についてそのIDを元に、記事管理情報を検索し全てのシーンIDと放送局名を得て、メモリ28に格納する。図10に挙げた例では、記事ID2300の記事に対して、シーンIDとして250,251,252,253,254、放送局名としてテレビＡを得る。
【００６０】
ステップ402では、メモリ28中からシーンIDを1つ取り出し、該シーンIDを元にシーン定義情報を検索し、全てのエンティティIDと場所名とを得て、メモリ28に格納する。図3に挙げた例では、例えばシーンID250に対して、エンティティID31,32と場所名「国会議事堂」を得る。
【００６１】
ステップ403では、メモリ28中からエンティティIDを1つ取り出し、該エンティティIDを元にエンティティ定義情報を検索し、名前とイベント名を得る。図11に挙げた例では、例えばエンティティID31に対して、名前「野中」イベント名「会談」を得る。
【００６２】
ステップ404では、該記事IDと該場所名と該名前と該イベント名をシーン蓄積リストに登録されているものと比較する。もし存在すればステップ405へ移る。存在しなければステップ406へ移る。以上に挙げた例では、記事ID2300と場所名「国会議事堂」と名前「野中」とイベント名「会談」の3つをキーとして、シーン蓄積リストより検索する。
【００６３】
ステップ405では、シーン蓄積リスト中の該当列のAnd/OrにAndと登録し、ステップ407へ移る。以上に挙げた例では、記事ID2300と場所名「国会議事堂」と名前「野中」とイベント名「会談」の3つをキーとする列が存在するので、And/Or行はAndとする。
【００６４】
ステップ406では前記ステップ405で得たシーン蓄積リスト中の該当列における放送局名をキーとして放送局嗜好情報を検索し、嗜好順位を得る。
【００６５】
ステップ407では、ステップ401で得た放送局名をキーとして放送局嗜好情報を検索し、嗜好順位を得る。
【００６６】
ステップ408では、ステップ406で得た嗜好順位とステップ407で得た嗜好順位とを比較する。もしステップ407で得た嗜好順位の方が高ければ、ステップ409へ移る。そうでなければステップ111へ移る。
【００６７】
ステップ409では、シーン蓄積リスト中の該当列の該放送局名を、ステップ401で得た放送局名に書き換える。
【００６８】
ステップ410では、テーブルに新規な列として、該名前と該イベント名と該場所と該シーンIDと該記事IDとステップ401で得た放送局名を登録しAnd/OrにOrと登録する。
【００６９】
ステップ411では、まだステップ403による操作が行われていないエンティティIDが存在するか否か判定する。もしあればステップ403へ戻る。
【００７０】
ステップ412では、まだステップ402による操作が行われていないシーンIDが存在するか否かを判定する。もしあればステップ402へ戻る。
【００７１】
（第3の実施形態）
第3の実施形態は、視聴履歴に基づいて特定の放送局を優先する場合の例である。第1および第2の実施形態と異なる点を中心に説明する。
【００７２】
第3の実施形態では、放送局嗜好情報に累積視聴時間が加わる。累積視聴時間とは、ある視聴者がそれぞれの放送局の番組をどの程度見たかという情報である。第2の実施形態では放送局の好みを本装置の利用者が登録するものであったが、本実施形態では視聴履歴に基づいて放送局の好みを本装置が推定する。そのため放送局嗜好情報は、ユーザIDと放送局名と累積視聴時間から成る。図15における例では、利用者FukadaはテレビＡを12時間30分、テレビＢを11時間10分視聴していることを記述している。
【００７３】
図16は、本装置における放送局嗜好情報を視聴履歴に基づいて記録し、放送局の好みを推定して順位付けする手続きを示したフローチャートである。以下このフローチャートに基づいて本装置における動作を説明する。
【００７４】
ステップ501では、利用者が入力手段29より入力したユーザIDを受信する。図16-1は本ステップにおける提示手段24の画面例である。本装置はユーザIDとパスワードの入力を要求する。
【００７５】
ステップ502では、前記ステップで入力されたユーザIDとパスワードをチェックし、認証を行う。もし認証に成功すればステップ503へ移る。認証に失敗すればステップ501へ戻り、再度の入力を利用者に促す。
【００７６】
ステップ503では、利用者が入力手段29より入力した放送局名を受信する。図16-2は本ステップにおける提示手段24の画面例である。この例ではNHK、Ｄテレビ、テレビＡ、テレビＢ、Ｃテレビ、Ｂ放送、各放送局をチャンネル番号で選択することを示している。例えばテレビＢを選択したとする。
【００７７】
ステップ504では、前記ステップ503で選択された放送局に基づいて、受信手段21によって放送を受信し、分離手段22によって受信信号から映像・音声データ、番組インデックスを分離し、再生手段23によって映像・音声データをデコードし、提示手段24に実際の放送番組が表示される。今、ステップ503でテレビＢが選択されたとすると、提示手段24にはテレビＢの番組が表示される。同時に視聴時間の計測を開始する。
【００７８】
ステップ505では、入力手段29より利用者による放送局変更信号または放送終了ボタンの押下を受信したか否かを確認する。もし放送局変更信号または放送終了ボタンの押下であればステップ506へ移る。そうでなければステップ504に戻る。
ステップ506では、ステップ504によって始まった視聴時間の計測を止め、それまで視聴していた放送局に対してステップ504で視聴した時間を算出する。例えばステップ504でテレビＢを1時間30分見ていたとする。
【００７９】
ステップ507では、図15に示した放送局嗜好情報中の該放送局の視聴時間に、前記ステップ506で算出した視聴時間を加える。例えばステップ504でテレビＢを1時間30分見ていたとすると、図15に示した例ではテレビＢはそれまで累積で11時間30分視聴していたので、これを加えて新しい累積視聴時間は13時間00分となる。
【００８０】
ステップ508では、前記ステップ505において入力手段29より利用者による放送局変更信号または放送終了ボタンの押下のいずれかであるかを確認する。もし放送局変更信号であればステップ503に戻る。放送終了ボタンの押下であればステップ509へ移る。
【００８１】
ステップ509では、前記ステップ507で新たに求まった視聴時間に基づき、放送局嗜好情報の各行を利用者ごとに並べ替えを行い、降順に順位付けを行って、蓄積手段26に格納する。ステップ507の例ではテレビＢの累積視聴時間が13時間00分となったので、テレビＡの累積し長時間である12時間30分を上回ったので、並べ替えを行い、新しい放送局嗜好情報は図15-1に示したようになる。
【００８２】
（第4の実施形態）
第4の実施形態は、各放送局より送信されたある１つの記事について、同一記事での共通シーン部分および差異のあるシーン部分のうち、差異のある部分に着目して提示する場合の例である。第1〜第3の実施形態と異なる点を中心に説明する。
【００８３】
提示リスト（図17）は、視聴者に提示するシーンIDと対応する映像のファイル名、およびそのシーンが放送された放送局名が記述される。例えば図17における例では、シーンID251はテレビＡ、シーンID252はテレビＢで放送されたシーンであり、ファイル名はそれぞれ「File251.mpg」「File252.mpg」であることを記述している。なおシーンID250は図5のシーン蓄積リストで記述したAnd/OrがAndであるシーン、つまり複数の放送局で放送された共通シーンであることを記述している。そのため放送局名には放送局名と重複しない、例えば「AND」と特殊な記号を記述する。
【００８４】
図18は、先に述べた、各放送局より送信されたある１つの記事について、同一記事での共通シーン部分および差異のあるシーン部分を抽出する手続きによって得られたシーン群について、差異のある部分を視聴者に提示する手続きを示したフローチャートである。以下このフローチャートに基づいて、視聴者に提示する動作について説明する。
【００８５】
ステップ601では、図10に示したシーン蓄積リストより記事IDを全て取り出す。
ステップ602では、前記ステップ601で取り出した記事IDを1つ取り出し、これを元に、図11に示したシーン蓄積リストを検索し、And/OrがAndであるようなシーンIDを全て取り出す。例えば記事ID2300に対して、図11-1に示した例では記事IDが2300であるシーンIDとして250が取り出される。
【００８６】
ステップ603では、前記ステップ602で取り出した記事IDを元に、図11に示したシーン蓄積リストを検索し、And/OrがOrであるようなシーンIDと放送局名を全て取り出す。例えば記事ID2300に対して、図11-1に示した例では記事IDが2300であるシーンID251と放送局名「テレビＡ」、シーンID252と放送局名「テレビＢ」が取り出される。
【００８７】
ステップ604では、前記ステップ602で取り出したシーンIDを提示リストに加え、放送局名は「AND」とする。図11-1に示した例では、シーンID250が提示リストに加わる。
【００８８】
ステップ605では、前記ステップ603で取り出したシーンIDと放送局名の組を提示リストに加える。図11-1に示した例では、シーンID251と放送局名「テレビＡ」シーンID251と放送局名「テレビＢ」が提示リストに加わる。
ステップ606では記事IDとシーンIDを元に図6で示したシーン蓄積情報を検索し、対応するファイル名を取り出し,提示リストに加える。図11-1および図6に示した例では、シーンID250に対してファイル名「File250.mpg」、シーンID251に対してファイル名「File251.mpg」、シーンID252に対して「File252.mpg」が提示リストに加わる。
【００８９】
ステップ607では、ステップ601で取り出した記事IDのうち、まだステップ602による操作を加えられていないシーンIDが存在するか否かを判定する。まだ存在すればステップ602に戻る。存在しなければステップ608に移る。
【００９０】
ステップ608では、記事IDを元に図2で示した記事管理情報を検索し、得られた記事名を提示手段24に提示する。例えば、記事ID2300の「野中氏と鈴木氏が会談」、続いて記事ID2301の「土井氏が講演」が図18-1のように提示装置24に提示される。
【００９１】
ステップ609では、視聴者による記事の視聴要求を受信する。例えば記事ID2300の「野中氏と鈴木氏が会談」が要求されたとする。
【００９２】
ステップ610では、前記ステップ609で受信した視聴要求に基づき、ステップ602〜ステップ606で生成した提示リストを参照し、該当シーンを提示装置24に提示する。
【００９３】
以上、実施例を詳述したが、本発明は、複数の機器から構成されるシステムに適用しても良いし、また、単体の機器から成る装置に適用しても良いしLANなどのネットワークを介して処理が行われるシステムに適用しても良い。
【００９４】
また、本発明の目的は、前述した実施形態の機能を実現するソフトウェアのプログラムコードを記録した記憶媒体を、システムあるいは装置に供給し、そのシステムあるいは装置のコンピュータ（またはCPUやMPU）が記憶媒体に格納されたプログラムコードを読出し実行することによっても、達成されることは言うまでもない。その場合、プログラムの機能を有していれば、形態は、プログラムである必要はない。
【００９５】
従って、プログラムの機能を有していれば、オブジェクトコード、インタプリタにより実行されるプログラム、OSに供給するスクリプトデータ等、プログラムの形態を問わない。
【００９６】
プログラムを供給するための記憶媒体としては、例えば、フロッピィディスク、ハードディスク、光ディスク、光磁気ディスク、MO、CD−ROM、CD−R、CD−RW、磁気テープ、不揮発性のメモリカード、ROM、DVDなどを用いることができる。
この場合、記憶媒体から読出されたプログラムコード自体が前述した実施形態の機能を実現することになり、そのプログラムコードを記憶した記憶媒体は本発明を構成することになる。
【００９７】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバやftpサーバ等も本発明の請求項に含まれるものである。
【００９８】
また、本発明のプログラムを暗号化してCD−ROM等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９９】
また、コンピュータが読出したプログラムコードを実行することにより、前述した実施形態の機能が実現されるだけでなく、そのプログラムコードの指示に基づき、コンピュータ上で稼働しているOS（オペレーティングシステム）などが実際の処理の一部または全部を行い、その処理によって前述した実施形態の機能が実現される場合も含まれることは言うまでもない。
【０１００】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるCPUなどが実際の処理の一部または全部を行い、その処理によって前述した実施形態の機能が実現される場合も含まれることは言うまでもない。
【図面の簡単な説明】
【０１０１】
【図１】本装置を含む放送システムの全体構成図。
【図２】第1の実施形態における記事管理情報。
【図３】シーン定義情報。
【図４】エンティティ管理情報（図2から図4についてはXML形式で情報を管理する例も示す。）。
【図５】シーン蓄積情報。
【図６】第1の実施形態におけるシーン蓄積リスト。
【図７】図７−１は累積シーン長情報、図７−２は累積シーン長情報（図９に示すフローチャートで使用）。
【図８】第1の実施形態における各放送局より送信されたある１つの記事について、同一記事での共通シーン部分および差異のあるシーン部分を抽出する手続きを示したフローチャート。
【図９】図９−１、図９−２は第1の実施形態における同一記事での共通シーン部分および差異のあるシーン部分を抽出する手続きによって得られたシーン群について、共通部分の長さによって順位付けを行って視聴者に提示する手続きを示したフローチャート。
【図１０】第２の実施形態における記事管理情報。
【図１１】図１１−１、図１１−２は第２の実施形態におけるシーン蓄積リスト。
【図１２】第２の実施形態における放送局嗜好情報。
【図１３】図１３−１は第２の実施形態における利用者が放送局嗜好情報を登録する手続きを示したフローチャート。図１３−２、図１３−３、図１３−４は図１２に示したフローチャートによる提示手段24における画面遷移の一例を示した図。
【図１４】第２の実施形態における各放送局より送信されたある１つの記事について、同一記事での共通シーン部分および差異のあるシーン部分を抽出する手続きを示したフローチャート。
【図１５】図１５−１は第３の実施形態における放送局嗜好情報。図１５−２は図１６−１に示したフローチャートによる放送局嗜好情報の遷移後を示した図。
【図１６】図１６−１は第３の実施形態における利用者によって本装置が放送局嗜好情報を算出する手続きを示したフローチャート。図１６−２、図１６−３は図１６−１に示したフローチャートによる提示手段２４における画面遷移の一例を示した図。
【図１７】第４の実施形態における提示リスト。
【図１８】図１８−１は第４の実施形態における各放送局より送信されたある１つの記事について、同一記事での共通シーン部分および差異のあるシーン部分のうち、差異のある部分に着目して提示する手続きを示したフローチャート。図１８−２は図１８−１に示したフローチャートによる提示手段２４における記事提示画面の一例を示した図。
【符号の説明】
【０１０２】
１００，１１０  送出装置
２００  映像受信再生装置
３００  伝送手段
１１  映像送出手段
１２  番組インデックス送出手段
１３  多重器
１４  変調器
２１  受信手段
２２  分離手段
２３  再生手段
２４  提示手段
２５  付加情報取得手段
２６  蓄積手段
２７  CPU
２８  メモリ
２９  入力手段
【図１】
2005176223.tif 000003
【図２】
2005176223.tif 000004
【図３】
2005176223.tif 000005
【図４】
2005176223.tif 000006
【図５】
2005176223.tif 000007
【図６】
2005176223.tif 000008
【図７】
2005176223.tif 000009
【図８】
2005176223.tif 000010
【図９】
2005176223.tif 000011
【図１０】
2005176223.tif 000012
【図１１】
2005176223.tif 000013
【図１２】
2005176223.tif 000014
【図１３】
2005176223.tif 000015
【図１４】
2005176223.tif 000016
【図１５】
2005176223.tif 000017
【図１６】
2005176223.tif 000018
【図１７】
2005176223.tif 000019
【図１８】
2005176223.tif 000020